(57)【特許請求の範囲】
【請求項１】
モータを収容する本体ハウジングの前方に、遊星歯車減速機構のインターナルギヤを挿着するインターナルギヤケースを組み付けて、そのインターナルギヤケースの前端外周に雄ネジ部を設ける一方、打撃機構を内蔵するハンマーケースの後端内周に雌ネジ部を設けて、前記ハンマーケースを前記インターナルギヤケースに前方からねじ込み結合可能とした打撃工具であって、
前記インターナルギヤケースの前端内周に、補強リングを当接状態で挿着し、その挿着状態で前記補強リングの後端を前記インターナルギヤに当接させるようにしたことを特徴とする打撃工具。
【請求項２】
補強リングに、ハンマーケースの結合状態でインターナルギヤケースの前端とハンマーケースの内周に設けた段部との間で挟持固定されるフランジを形成した請求項１に記載の打撃工具。
【発明の詳細な説明】
【０００１】
【発明の属する技術分野】
本発明は、モータを収容する本体ハウジングの前方に、打撃機構を内蔵するハンマーケースをねじ込み結合してなるインパクトドライバ等の打撃工具に関する。
【０００２】
【従来の技術】
例えばインパクトドライバでは、モータを収容する本体ハウジングに、打撃機構を内蔵するハンマーケースが前方から組み付けられる。この組み付け構造としては、本体ハウジングとハンマーケースとの側面に夫々ネジの取付部を数カ所突設し、この取付部同士をネジ止めする構造や、本体ハウジングの前端外周に雄ネジ部を、ハンマーケースの後端内周に設けた雌ネジ部を夫々設けて、ハンマーケースをねじ込み結合する構造等が考えられる。
【０００３】
【発明が解決しようとする課題】
上記ねじ込み結合は、取付部同士のネジ止め構造に比べて、本体ハウジングやハンマーケースの外周からの出っ張りがなくなるため、形状が単純化するとともに作業性も向上して好ましい。しかし、インパクトドライバを落下等させた場合、衝撃でハンマーケースや本体ハウジング等の結合部分が変形し、修理や交換等の際にハンマーケースやその内部のインターナルギヤ等の構成部品が取り外せなくなるおそれがある。
【０００４】
そこで、請求項１に記載の発明は、ねじ込み結合のものにおいて、ハンマーケースや本体ハウジング等の変形を少なくして構成部品の取り外しに支障がない打撃工具を提供することを目的としたものである。
【０００５】
【課題を解決するための手段】
上記目的を達成するために、請求項１に記載の発明は、モータを収容する本体ハウジングの前方に、遊星歯車減速機構のインターナルギヤを挿着するインターナルギヤケースを組み付けて、そのインターナルギヤケースの前端外周に雄ネジ部を設ける一方、打撃機構を内蔵するハンマーケースの後端内周に雌ネジ部を設けて、ハンマーケースをインターナルギヤケースに前方からねじ込み結合可能とした打撃工具であって、インターナルギヤケースの前端内周に、補強リングを当接状態で挿着し、その挿着状態で補強リングの後端をインターナルギヤに当接させるようにしたことを特徴とするものである。
請求項２に記載の発明は、請求項１の目的に加えて、補強リングの挿着を簡単に行うために、補強リングに、ハンマーケースの結合状態でインターナルギヤケースの前端とハンマーケースの内周に設けた段部との間で挟持固定されるフランジを形成したものである。
【０００６】
【発明の実施の形態】
以下、本発明の実施の形態を図面に基づいて説明する。
図１はインパクトドライバの一部縦断面図で、インパクトドライバ１は、左右の半割ハウジング３，４を組み付けて形成される本体ハウジング２に、モータ５を内蔵し、モータ５の前方（図１の右側）に、インターナルギヤケース８及びハンマーケース１３を組み付けてなる。インターナルギヤケース８は、図２にも示すように前方から４本のネジ９，９・・によって本体ハウジング２へ固定され、モータ５の出力軸６をボールベアリング７を介して軸支するとともに、前端に突設されたリング部１０の内周でインターナルギヤ１１を保持する。このリング部１０が本発明の本体ハウジング前端に相当し、その外周に、左ネジの雄ネジ部１２が形成されている。
【０００７】
ハンマーケース１３は、後方を開口した断面釣り鐘形状を呈し、後端内周に、インターナルギヤケース８側の雄ネジ部１２と螺合する雌ネジ部１４を形成しており、雄ネジ部１２と雌ネジ部１４との螺合により、ハンマーケース１３を前方からインターナルギヤケース８へねじ込み結合可能となっている。また、ハンマーケース１３内には、インターナルギヤ１１内で噛合する２つの遊星歯車１６，１６を保持するスピンドル１５が設けられる。スピンドル１５の後端部は、インターナルギヤケース８に支持されるボールベアリング１７によって、出力軸６と同軸で軸支され、前端部は、ハンマーケース１３に軸支されるアンビル１８に同軸で遊挿されている。さらに、スピンドル１５には、コイルバネ１９によって前方に付勢され、アンビル１８の後面と係合可能なハンマー２０が、ボール２１，２１を介して連結されている。
【０００８】
そして、インターナルギヤケース８のリング部１０には、補強リング２２が設けられている。この補強リング２２は、前方にフランジ２３を形成し、図３に示すようにリング部１０の内周に当接状態で挿着される筒状体で、ハンマーケース１３をねじ込むと、フランジ２３がリング部１０の先端とハンマーケース１３の内面に形成された段部２４との間に挟持固定される。この挟持固定状態では、補強リング２２の後端がインターナルギヤ１１の前端に当接して、インターナルギヤ１１の前方への抜け止めを行うものとなる。
【０００９】
一方、本体ハウジング２には、スイッチトリガー２５の上方でハンマーケース１３の下方部分を覆う延設部２６が、前方を開口して形成されている。延設部２６の内部には、図４に示す如く、ラック２７が左右方向へ移動可能に収容されて、半割ハウジング４側から延設部２６に遊挿されるネジ２９に螺合されている。このラック２７は、上面に、ハンマーケース１３外周で周方向に等間隔で並設された複数のディンプル３０，３０・・に噛合可能な歯２８，２８を有するもので、これらのラック２７、ネジ２９、ディンプル３０によってハンマーケース１３の回り止め機構が構成される。
【００１０】
また、延設部２６の前方には、皿状のライトユニット３１が装着されている。ライトユニット３１は、後端が延設部２６の前端開口といんろう結合され、この結合状態で、後方へ延設した連結片３２を、図３に示すように、延設部２６内で半割ハウジング４へ形成されたボス３３にネジ３４によって固定することで、ハンマーケース１３の下面に張り付く格好で固定される。さらに、ライトユニット３１内には、透明な合成樹脂製のケース３５が嵌着され、そのケース３５内に、ＬＥＤ３７を備えた基板３６が、ＬＥＤ３７が前方斜め上へ向く姿勢で固定されている。３８はＬＥＤ３７のリード線で、ライトユニット３１及び延設部２６内を引き回されてモータ５の駆動回路と電気的接続されている。
【００１１】
以上の如く構成されたインパクトドライバ１においては、インターナルギヤケース８を本体ハウジング２にネジ固定し、インターナルギヤケース８にインターナルギヤ１１を嵌め込むとともに、リング部１０に補強リング２２を挿着し、スピンドル１５等をセットする。この状態で、アンビル１８を軸支したハンマーケース１３を、インターナルギヤケース８のリング部１０に所定のトルクでねじ込むと、補強リング２２のフランジ２３は、リング部１０とハンマーケース１３の段部２４との間で挟持固定される。その後、延設部２６の前方からラック２７を、ディンプル３０，３０・・に噛合させた状態で差し込み、延設部２６の左側からネジ２９を螺合させて締め付けると、ラック２７は図４の右側にネジ送りされ、左ネジで螺合しているハンマーケース１３は、ラック２７との間に遊びのない状態で固定される。最後に、ライトユニット３１を延設部２６にネジ止めすれば、インパクトドライバ１の組付けは完了する。
【００１２】
そして、スイッチトリガー２５を操作してモータ５を駆動させると、出力軸６の回転が遊星歯車１６，１６を介してスピンドル１５に伝わり、スピンドル１５を回転させる。スピンドル１５は、ボール２１を介してハンマー２０を回転させ、ハンマー２０が係合するアンビル１８を回転させるため、アンビル１８の先端に装着したビット３９によってネジ締め等が可能となる。また、モータ５の駆動とともにＬＥＤ３７が点灯し、ビット３９の前方を照射する。ネジ締めが進んでアンビル１８への負荷が高まると、ハンマー２０がアンビル１８に対して係脱を繰り返して間欠的な打撃を加え、増し締めを行う。この打撃によりインパクトドライバ１には振動が発生するが、ラック２７による回り止めがなされているため、ハンマーケース１３が振動で緩むことはない。
【００１３】
このように上記形態のインパクトドライバ１によれば、インターナルギヤケース８のリング部１０の内周に、補強リング２２を当接状態で挿着したことで、補強リング２２によってハンマーケース１３の結合部分の強度が高まり、インパクトドライバ１を落下させたり、他の物にぶつけたりして当該結合部分に衝撃が加わっても、リング部１０やハンマーケース１３等の変形は少なくなる。よって、構成部品の交換等の必要が生じた場合に、ハンマーケース１３やインターナルギヤ１１等の構成部品の取り外しは支障なく行える。特に、インターナルギヤケース８のリング部１０の内周に補強リング２２を挿着しているから、インターナルギヤケース８の変形が効果的に抑えられる。
また、インターナルギヤケース８への挿着状態で補強リング２２の後端がインターナルギヤ１１に当接可能としているから、補強リング２２をインターナルギヤ１１の抜け止めに兼用できる合理的な構造となる。
さらに、補強リング２２に、ハンマーケース１３の結合状態でリング部１０とハンマーケース１３の段部２４との間で挟持固定されるフランジ２３を形成しているから、何等部品を用いずに補強リング２２の挿着が簡単に行える。
【００１４】
なお、リング部１０での補強リング２２の固定は、フランジ２３の挟持によるものに限らず、補強リングを単純な筒体にして、ハンマーケースの内周に、ねじ込み結合状態で補強リングの前端に当接する突起や突条等を突設する構造とすることもできる。また、リングスプリング等で補強リングを固定しても差し支えない。
【００１５】
【発明の効果】
請求項１に記載の発明によれば、インターナルギヤケースの前端内周に、補強リングを当接状態で挿着したことで、補強リングによってハンマーケースの結合部分の強度が高まり、打撃工具を落下させたり、他の物にぶつけたりして当該結合部分に衝撃が加わっても、インターナルギヤケースやハンマーケース等の変形は少なくなる。よって、構成部品の交換等の必要が生じた場合に、ハンマーケースやインターナルギヤ等の構成部品の取り外しは支障なく行える。また、インターナルギヤケースへの挿着状態で補強リングの後端がインターナルギヤに当接するので、補強リングをインターナルギヤの抜け止めに兼用できる合理的な構造となる。
請求項２に記載の発明によれば、請求項１の効果に加えて、補強リングに、ハンマーケースの結合状態でインターナルギヤケースの前端とハンマーケースの内周に設けた段部との間で挟持固定されるフランジを形成したことで、何等部品を用いずに補強リングの挿着が簡単に行える。
【図面の簡単な説明】
【図１】インパクトドライバの一部縦断面図である。
【図２】Ａ−Ａ線断面図である。
【図３】Ｂ−Ｂ線断面図である。
【図４】Ｃ−Ｃ線断面図である。
【符号の説明】
１・・インパクトドライバ、２・・本体ハウジング、５・・モータ、８・・インターナルギヤケース、１０・・リング部、１１・・インターナルギヤ、１２・・雄ネジ部、１３・・ハンマーケース、１４・・雌ネジ部、１５・・スピンドル、２２・・補強リング、２３・・フランジ、２４・・段部、２６・・延設部、２７・・ラック、３１・・ライトユニット、３７・・ＬＥＤ。
【図１】
0003793099.tif 000002
【図２】
0003793099.tif 000003
【図３】
0003793099.tif 000004
【図４】
0003793099.tif 000005